(57)【要約】【課題】搭載される部位の状況に応じて形状の異なったコネクタを使い分ける場合において、上記コネクタを低コストで提供する。【解決手段】相手側コネクタ３に接合されるコネクタ１において、お互いの形状が異なる複数のアウタハウジング７（７Ａ，７Ｂ）の中から、設置される箇所の状況に応じて選択された１つのアウタハウジングに設置されるインナハウジング５を有する。【選択図】図１
2016012438.tif 000002
【特許請求の範囲】
【請求項１】
相手側コネクタに接合されるコネクタにおいて、
お互いの形状が異なる複数のアウタハウジングの中から、設置される箇所の状況に応じて選択された１つのアウタハウジングに設置されるインナハウジングを有することを特徴とするコネクタ。
【請求項２】
請求項１に記載のコネクタにおいて、
前記インナハウジングの所定の部位には、インナハウジング被係止部が形成されており、
前記相手側コネクタの所定の部位には、第１の相手側コネクタ係止部が形成されており、
前記アウタハウジングの所定の部位には、第１のアウタハウジング被係止部が形成されており、
前記相手側コネクタに接合された状態では、前記インナハウジング被係止部と前記第１のアウタハウジング被係止部とが前記第１の相手側コネクタ係止部に係合するように構成されていることを特徴とするコネクタ。
【請求項３】
請求項２に記載のコネクタにおいて、
前記相手側コネクタの別の所定の部位には、第２の相手側コネクタ係止部が形成されており、
前記アウタハウジングの別の所定の部位には、第２のアウタハウジング被係止部が形成されており、
前記相手側コネクタに接合された状態では、前記第２のアウタハウジング被係止部が、前記第２の相手側コネクタ係止部に係合するように構成されていることを特徴とするコネクタ。
【請求項４】
請求項２または請求項３に記載のコネクタにおいて、
前記インナハウジング被係止部は、可撓性を備えた梁部と、この梁部の所定の箇所に設けられた被係止爪とで構成されており、
前記第１の相手側コネクタ係止部は、凹部で構成されており、
前記第１のアウタハウジング被係止部は、可撓性を備えた梁部と、この梁部の所定の箇所に設けられた被係止爪とで構成されており、
前記相手側コネクタに設置される前であって前記インナハウジングが前記アウタハウジングに設置されている接合準備状態では、前記インナハウジングの被係止爪が前記アウタハウジングの被係止爪に係合しており、
前記接合準備状態から前記アウタハウジングを前記相手側コネクタ側に移動することで、前記インナハウジングが押されて前記アウタハウジングとともに移動し、前記インナハウジング被係止部の被係止爪が前記第１の相手側コネクタ係止部の凹部に入り込み、続いて、前記アウタハウジングを前記相手側コネクタ側にさらに移動することで、前記アウタハウジングが前記相手側コネクタと前記インナハウジングとに対して相対的にさらに移動して、前記第１のアウタハウジング被係止部の被係止爪が、前記インナハウジングの被係止爪のところを通過して前記第１の相手側コネクタ係止部の凹部に入り込み、前記相手側コネクタへの接合がなされるように構成されていることを特徴とするコネクタ。
【発明の詳細な説明】
【技術分野】
【０００１】
本発明は、コネクタに係り、特に、インナハウジングとアウタハウジングとを備えて構成されるものに関する。
【背景技術】
【０００２】
従来、図２２（ａ）で示すようなコネクタ３０１が知られている。コネクタ３０１は、たとえば、エンジンのシリンダヘッド３０３に設置されて使用されるようになっている。
【０００３】
図２２（ｂ）で示すように、コネクタ３０１（コネクタ搭載部）の上方に構造物等の障害物３０５が存在している場合には、図２２（ｂ）に実線で示すものよりも長いコネクタ３０１（図２２の二点鎖線参照）を使用する必要がある。
【０００４】
一方、図２３で示すように、コネクタ３０１の上方に障害物が存在していない場合には、短いコネクタ３０１を使用することで足りる。
【０００５】
ここで、従来のコネクタに関する特許文献として、たとえば、特許文献１のコネクタ３２１（図２０参照）、特許文献２のコネクタ３５１（図２１参照）を掲げることができる。
【０００６】
コネクタ３２１は、ディーゼルエンジンのグロープラグに接続されるプラグインコネクタであり、円形断面の樹脂のベース本体を有し、その上に、少なくとも１つの細長い接触部品が同軸的に配されており、その細長い接触部品は長さ方向に伸びるスリットを有し、また、ベース本体上に少なくとも１つの突き出た突起部を有し、また、細長い接触部品がベース本体に取り付けられた後は、その突起が、細長い接触部品の少なくとも１つのウェブを少なくとも部分的に覆うように突き出す形で変形されるようになっている。
【０００７】
また、コネクタ３５１は、雌端子３５３（実形状を図示せず）を配置した第１ハウジング部３５５を有するワイヤハーネス側コネクタ部３５７と、雄端子３５９を配置した第２ハウジング部３６１を有するセンサ側コネクタ部３６３とを備え、双方のハウジング部３５５，３６１間を嵌合し、嵌合完了位置で雌端子３５３と雄端子３５９間を接続するコネクタである。
【０００８】
また、コネクタ３５１では、第１ハウジング部３５５を本体部３６５に回転自在に設け、且つ、第１ハウジング部３５５には、誘導リブ部３６７を設け、第２ハウジング部３６１には、雌端子３５３及び雄端子３５９が接触開始する前の位置までに、第１及び第２ハウジング部３５５，３６１間が正規の嵌合回転位置となるよう誘導リブ部３６７をガイドする誘導レール面３６９を設けている。
【先行技術文献】
【特許文献】
【０００９】
【特許文献１】米国特許出願公開２０１０／００３８４１Ａ１号明細書
【特許文献２】特願２０１２−２８０７８４
【発明の概要】
【発明が解決しようとする課題】
【００１０】
ところで、従来のコネクタ３０１では、障害物３０５の有無によってコネクタ３０１の形状（たとえば長さ）を変えなければならない。すなわち、コネクタが搭載（設置）される部位毎に形状の異なったコネクタを使用する必要がある。これにより、コネクタの製造コストが上昇してしまうという問題がある。
【００１１】
本発明は、上記問題点に鑑みてなされたものであり、搭載（設置）される部位の状況に応じて形状の異なったコネクタを使い分ける場合において、上記コネクタを低コストで提供することを目的とする。
【課題を解決するための手段】
【００１２】
請求項１に記載の発明は、相手側コネクタに接合されるコネクタにおいて、お互いの形状が異なる複数のアウタハウジングの中から、設置される箇所の状況に応じて選択された１つのアウタハウジングに設置されるインナハウジングを有するコネクタである。
【００１３】
請求項２に記載の発明は、請求項１に記載のコネクタにおいて、前記インナハウジングの所定の部位には、インナハウジング被係止部が形成されており、
前記相手側コネクタの所定の部位には、第１の相手側コネクタ係止部が形成されており、
前記アウタハウジングの所定の部位には、第１のアウタハウジング被係止部が形成されており、前記相手側コネクタに接合された状態では、前記インナハウジング被係止部と前記第１のアウタハウジング被係止部とが前記第１の相手側コネクタ係止部に係合するように構成されているコネクタである。
【００１４】
請求項３に記載の発明は、請求項２に記載のコネクタにおいて、前記相手側コネクタの別の所定の部位には、第２の相手側コネクタ係止部が形成されており、前記アウタハウジングの別の所定の部位には、第２のアウタハウジング被係止部が形成されており、前記相手側コネクタに接合された状態では、前記第２のアウタハウジング被係止部が、前記第２の相手側コネクタ係止部に係合するように構成されているコネクタである。
【００１５】
請求項４に記載の発明は、請求項２または請求項３に記載のコネクタにおいて、前記インナハウジング被係止部は、可撓性を備えた梁部と、この梁部の所定の箇所に設けられた被係止爪とで構成されており、前記第１の相手側コネクタ係止部は、凹部で構成されており、前記第１のアウタハウジング被係止部は、可撓性を備えた梁部と、この梁部の所定の箇所に設けられた被係止爪とで構成されており、前記相手側コネクタに設置される前であって前記インナハウジングが前記アウタハウジングに設置されている接合準備状態では、前記インナハウジングの被係止爪が前記アウタハウジングの被係止爪に係合しており、前記接合準備状態から前記アウタハウジングを前記相手側コネクタ側に移動することで、前記インナハウジングが押されて前記アウタハウジングとともに移動し、前記インナハウジング被係止部の被係止爪が前記第１の相手側コネクタ係止部の凹部に入り込み、続いて、前記アウタハウジングを前記相手側コネクタ側にさらに移動することで、前記アウタハウジングが前記相手側コネクタと前記インナハウジングとに対して相対的にさらに移動して、前記第１のアウタハウジング被係止部の被係止爪が、前記インナハウジングの被係止爪のところを通過して前記第１の相手側コネクタ係止部の凹部に入り込み、前記相手側コネクタへの接合がなされるように構成されているコネクタである。
【発明の効果】
【００１６】
本発明によれば、搭載（設置）される部位の状況に応じて形状の異なったコネクタを使い分ける場合において、上記コネクタを低コストで提供することができるという効果を奏する。
【図面の簡単な説明】
【００１７】
【図１】本発明の実施形態に係るメスコネクタ（長いアウタハウジングが使用されているメスコネクタ）の正面図である。
【図２】（ａ）は本発明の実施形態に係るメスコネクタを構成する長いアウタハウジングの正面図であり、（ｂ）は本発明の実施形態に係るメスコネクタを構成するインナハウジングの正面図である。
【図３】障害物が存在する部位に設置されたオスコネクタに、本発明の実施形態に係るメスコネクタ（長いアウタハウジングが使用されているメスコネクタ）を設置する態様を示す図である。
【図４】本発明の実施形態に係るメスコネクタ（短いアウタハウジングが使用されているメスコネクタ）の正面図である。
【図５】（ａ）は本発明の実施形態に係るメスコネクタを構成する短いアウタハウジングの正面図であり、（ｂ）は本発明の実施形態に係るメスコネクタを構成するインナハウジングの正面図である。
【図６】障害物が非存在である部位に設置されたオスコネクタに、本発明の実施形態に係るメスコネクタ（短いアウタハウジングが使用されているメスコネクタ）を設置する態様を示す図である。
【図７】（ａ）は本発明の実施形態に係るメスコネクタを構成する短いアウタハウジングの平面図であり、（ｂ）は（ａ）におけるＶＩＩＢ矢視図であり、（ｃ）は（ａ）におけるＶＩＩＣ矢視図であり、（ｄ）は（ａ）におけるＶＩＩＤ−ＶＩＩＤ断面図であり、（ｅ）は（ａ）におけるＶＩＩＥ−ＶＩＩＥ断面図である。
【図８】（ａ）は本発明の実施形態に係るメスコネクタを構成する長いアウタハウジングの平面図であり、（ｂ）は（ａ）におけるＶＩＩＩＢ矢視図であり、（ｃ）は（ａ）におけるＶＩＩＩＣ矢視図であり、（ｄ）は（ａ）におけるＶＩＩＩＤ−ＶＩＩＩＤ断面図であり、（ｅ）は（ａ）におけるＶＩＩＩＥ−ＶＩＩＩＥ断面図である。
【図９】（ａ）は本発明の実施形態に係るメスコネクタを構成するインナハウジングの斜視図であり、（ｂ）は（ａ）におけるＩＸＢ矢視図であり、（ｃ）は（ａ）におけるＩＸＣ矢視図であり、（ｄ）は（ａ）におけるＩＸＤ矢視図である。
【図１０】（ａ）は本発明の実施形態に係るメスコネクタが接合されるオスコネクタの斜視図であり、（ｂ）は（ａ）におけるＸＢ矢視図であり、（ｃ）は（ａ）におけるＸＣ矢視図であり、（ｄ）は（ａ）におけるＸＤ矢視図である。
【図１１】（ａ）は本発明の実施形態に係るメスコネクタ（短いアウタハウジングが使用されているメスコネクタ）の平面図であり、（ｂ）は（ａ）におけるＸＩＢ矢視図であり、（ｃ）は（ａ）におけるＸＩＣ矢視図であり、（ｄ）は（ａ）におけるＸＩＤ−ＸＩＤ断面図であり、（ｅ）は（ａ）におけるＸＩＥ−ＸＩＥ断面図である。
【図１２】（ａ）は本発明の実施形態に係るメスコネクタ（長いアウタハウジングが使用されているメスコネクタ）の平面図であり、（ｂ）は（ａ）におけるＸＩＩＢ矢視図であり、（ｃ）は（ａ）におけるＸＩＩＣ矢視図であり、（ｄ）は（ａ）におけるＸＩＩＤ−ＸＩＩＤ断面図であり、（ｅ）は（ａ）におけるＸＩＩＥ−ＸＩＩＥ断面図である。
【図１３】（ａ）は本発明の実施形態に係るメスコネクタ（短いアウタハウジングが使用されているメスコネクタ）がオスコネクタに接合された状態を示す平面図であり、（ｂ）は（ａ）におけるＸＩＩＩＢ矢視図であり、（ｃ）は（ａ）におけるＸＩＩＩＣ矢視図であり、（ｄ）は（ａ）におけるＸＩＩＩＤ−ＸＩＩＩＤ断面図であり、（ｅ）は（ａ）におけるＸＩＩＩＥ−ＸＩＩＩＥ断面図である。
【図１４】（ａ）は本発明の実施形態に係るメスコネクタ（長いアウタハウジングが使用されているメスコネクタ）がオスコネクタに接合された状態を示す平面図であり、（ｂ）は（ａ）におけるＸＩＶＢ矢視図であり、（ｃ）は（ａ）におけるＸＩＶＣ矢視図であり、（ｄ）は（ａ）におけるＸＩＶＤ−ＸＩＶＤ断面図であり、（ｅ）は（ａ）におけるＸＩＶＥ−ＸＩＶＥ断面図である。
【図１５】（ａ）は本発明の実施形態に係るメスコネクタ（長いアウタハウジングが使用されているメスコネクタ）がオスコネクタに接合される動作を示す平面図であり、（ｂ）は（ａ）におけるＸＶＢ矢視図である。
【図１６】メスコネクタをオスコネクタに接合する前の接合準備状態を示す図であって、（ａ）は図１５におけるＸＶＩＡ−ＸＶＩＡ断面を示す図であり、（ｂ）は図１５におけるＸＶＩＢ−ＸＶＩＢ断面を示す図である。
【図１７】メスコネクタをオスコネクタに接合する途中の状態を示す図であって、（ａ）は図１６（ａ）に対応する図であり、（ｂ）は図１６（ｂ）に対応する図である。
【図１８】メスコネクタをオスコネクタに接合する途中の状態を示す図であって、ａ）は図１６（ａ）に対応する図であり、（ｂ）は図１６（ｂ）に対応する図である。
【図１９】メスコネクタをオスコネクタに接合し終えた状態を示す図であって、ａ）は図１６（ａ）に対応する図であり、（ｂ）は図１６（ｂ）に対応する図である。
【図２０】従来のコネクタを示す図である。
【図２１】従来のコネクタを示す図である。
【図２２】従来のコネクタを示す図である。
【図２３】従来のコネクタを示す図である。
【発明を実施するための形態】
【００１８】
本発明の実施形態に係るコネクタ１は、図３等で示すように、たとえば、相手側コネクタ３に接合（設置）されて使用されるものであり、図１、図２、図４、図５等で示すように、インナハウジング５を備えて構成されている。
【００１９】
インナハウジング５は、お互いの形状（たとえば長さ）が異なる複数のアウタハウジング７（７Ａ，７Ｂ）の中から、コネクタ（たとえばメスコネクタ）１が設置される箇所の状況に応じて（たとえば障害物９の有無に応じて）選択された１つのアウタハウジング７に設置（仮設置）されるようになっている（図１、図４等参照）。
【００２０】
さらに説明すると、メスコネクタ１は、インナハウジング５と、お互いの長さが異なる複数のアウタハウジング７（７Ａ，７Ｂ）の中から選択された１つのアウタハウジング７とを備えて構成されている。また、メスコネクタ１は、たとえば、インナハウジング５がアウタハウジング７に設置（仮係止；仮設置）されている状態（図１、図４、図１１、図１２、図１６等参照）から、相手側コネクタ（たとえばオスコネクタ）３に設置（本係止；本設置；図１３、図１４、図１９等参照）されるように構成されている。
【００２１】
インナハウジング５には、図９等で示すように、端子（たとえばメス端子）１１が設けられており、オスコネクタ３は、図１０等で示すように、ハウジング（オスコネクタハウジング）１３を備えて構成されており、オスコネクタハウジング１３には端子（オス端子）１５が設けられている。そして、メスコネクタ１がオスコネクタ３に接合されたとき、オス端子１５にメス端子１１が接続されるようになっている（図１３、図１４参照）。
【００２２】
また、オスコネクタ３は、たとえば、燃焼圧センサ素子（図示せず）を一体として有し、エンジンのシリンダヘッド等のコネクタ設置体１７（図３、図６参照）に、たとえば螺合することで締結されて設置され使用されるものであり、メスコネクタ１は、コネクタ設置体１７に設置されているオスコネクタ３に接合されるようになっている。
【００２３】
また、各アウタハウジング７（７Ａ，７Ｂ）は、図７、図８等で示すように、筒状（たとえば円筒状）に形成されており、インナハウジング５は、図１、図４、図１１、図１２等で示すように、アウタハウジング７の長さにかかわらず、アウタハウジング７の一方の端（下端；オスコネクタ３に接合されたときにオスコネクタが内部に入り込む側の開口部）１９から一定の距離だけ離れたところで、アウタハウジング７の内部に設置（仮設置）されるようになっている。
【００２４】
すなわち、インナハウジング５とアウタハウジング７とを備えて構成されたメスコネクタ１がオスコネクタ３に設置されたとき、アウタハウジング７の長手方向（中心軸Ｃ１の延伸方向）の一方の端１９からのインナハウジング５までの距離は、アウタハウジング７の長さにかかわらず一定になっているが、アウタハウジング７の長手方向の他方の端（上端）２１からのインナハウジング５までの距離は、アウタハウジング７の長さに応じて変化する。
【００２５】
インナハウジング５の所定の部位には、図９等で示すように、インナハウジング被係止部２３が形成されており、オスコネクタ３（オスコネクタハウジング１３）の所定の部位には、図１０等で示すように、第１の相手側コネクタ係止部（第１のオスコネクタ係止部）２５が形成されており、アウタハウジング７の所定の部位には、図７、図８等で示すように、第１のアウタハウジング被係止部２７が形成されている。
【００２６】
そして、メスコネクタ１がオスコネクタ３に接合された状態では、図１３、図１４、図１９等で示すように、インナハウジング５のメス端子１１がオスコネクタ３のオス端子１５に接続されており、インナハウジング被係止部２３と第１のアウタハウジング被係止部２７とが第１の相手側コネクタ係止部２５に係合している（第１のアウタハウジング被係止部２７がインナハウジング被係止部２３とともに第１の相手側コネクタ係止部２５に係合して係止されている）。
【００２７】
これにより、インナハウジング５とアウタハウジング７とがオスコネクタ３に本係止（本設置）され、メスコネクタ１がオスコネクタ３に接合された状態が維持されるようになっている。メスコネクタ１がオスコネクタ３に接合された状態では、オスコネクタ３とアウタハウジング７とインナハウジング５とが一体化している。
【００２８】
また、オスコネクタ３（オスコネクタハウジング１３）の別の所定の部位には、図１０等で示すように、第２の相手側コネクタ係止部（第２のオスコネクタ係止部）２９が形成されており、アウタハウジング７の別の所定の部位には、図７、図８等で示すように、第２のアウタハウジング被係止部３１が形成されている。
【００２９】
そして、メスコネクタ１がオスコネクタ３に接合された状態では、図１３、１４等で示すように、第２のアウタハウジング被係止部３１が、第２の相手側コネクタ係止部２９に係合している（第２のアウタハウジング被係止部３１が第２の相手側コネクタ係止部２９に係合して係止されている）。これによっても、メスコネクタ１がオスコネクタ３に接合された状態が維持されるように構成されている。
【００３０】
インナハウジング被係止部２３は、図９等で示すように、可撓性を備えた（たとえば片持ち梁状の梁部）梁部（弾性アーム；インナハウジング梁部）３３と、この梁部３３の所定の箇所（たとえば先端部）に設けられた被係止爪（インナハウジング被係止爪）３５とを備えて構成されており、第１の相手側コネクタ係止部２５は、図１０等で示すように、凹部（第１の被係止爪収容部）３７で構成されており、第１のアウタハウジング被係止部２７は、図７、図８等で示すように、可撓性を備えた（たとえば両持ち梁状の梁部）梁部（弾性アーム；第１のアウタハウジング梁部）３９と、この梁部３９の所定の箇所（たとえば中間部）に設けられた被係止爪（第１のアウタハウジング被係止爪）４１とで構成されている。
【００３１】
オスコネクタ３に設置される前であってインナハウジング５がアウタハウジング７に設置（仮設置）されている接合準備状態では、図１６等で示すように、インナハウジング５の被係止爪３５がアウタハウジング７の被係止爪４１に係合して、インナハウジング５がアウタハウジング７に一体的に仮設置されている。
【００３２】
また、接合準備状態では、メス端子１１がオス端子１５から離れていてオス端子１５に接続されておらず、インナハウジング被係止部２３と第１のアウタハウジング被係止部２７とが、オスコネクタ３の第１の相手側コネクタ係止部２５から離れていて第１の相手側コネクタ係止部２５に係合しておらず、第２のアウタハウジング被係止部３１が、オスコネクタ３の第２の相手側コネクタ係止部２９から離れていて第２の相手側コネクタ係止部２９に係合していない。
【００３３】
接合準備状態からインナハウジング５とアウタハウジング７とをオスコネクタ３側に移動することで、メスコネクタ１がオスコネクタ３に接合されるように構成されている（図１６〜図１９参照）。
【００３４】
詳しく説明すると、接合準備状態からアウタハウジング７をオスコネクタ３側に所定の距離だけ移動することで、インナハウジング５がアウタハウジング７で押されてアウタハウジング７とともにオスコネクタ３に対して相対的に移動し、インナハウジング被係止部２３の被係止爪３５が第１の相手側コネクタ係止部２５の凹部３７に入り込む（図１８参照）。このとき、メス端子１１がオス端子１５に接続されてインナハウジング５がオスコネクタ３に当接しているが、第１のアウタハウジング被係止部２７の被係止爪４１は、第１の相手側コネクタ係止部２５の凹部３７から離れていて凹部３７に入り込んでいない。
【００３５】
続いて、アウタハウジング７をオスコネクタ３側に所定の距離だけさらに移動することで、アウタハウジング７がオスコネクタ３とインナハウジング５とに対して相対的にさらに移動して、第１のアウタハウジング被係止部２７の被係止爪４１が、インナハウジング７の被係止爪３５のところを通過して（たとえば乗り越えて）第１の相手側コネクタ係止部２５の凹部３７に入り込み（図１９参照）、インナハウジング５とアウタハウジング７とが、オスコネクタ３に係止（本係止）され、メスコネクタ１のオスコネクタ３への接合がなされこの状態が維持されるように構成されている。
【００３６】
また、第２の相手側コネクタ係止部２９は、図１０等で示すように、凹部（第２の被係止爪収容部）４３で構成されており、第２のアウタハウジング被係止部３１は、図７、図８等で示すように、可撓性を備えた（たとえば両持ち梁状もしくは片持ち梁状の梁部）梁部（弾性アーム；第２のアウタハウジング梁部）４５と、この梁部４５の所定の箇所（たとえば先端部）に設けられた被係止爪（第２のアウタハウジング被係止爪）４７とで構成されている。
【００３７】
そして、第２のアウタハウジング被係止部３１の被係止爪４７は、第１のアウタハウジング被係止部２７の被係止爪４１が第１の相手側コネクタ係止部２５の凹部３７に入り込むときに（図１９（ｂ）参照）、第２の相手側コネクタ係止部２９の凹部４３に入り込み（図１９（ａ）参照）、これによっても、インナハウジング５とアウタハウジング７とがオスコネクタ３に係止（本係止）され、メスコネクタ１のオスコネクタ３への接合がなされこの状態が維持されるように構成されている。
【００３８】
ここで、オスコネクタ３やメスコネクタ１についてさらに詳しく説明する。説明の便宜のために筒状（たとえば円筒状）に形成されているオスコネクタ３やメスコネクタ１の中心軸Ｃ１の延伸方向を上下方向とする。メスコネクタ１がオスコネクタ３に接合された状態では、オスコネクタ３の中心軸Ｃ１とメスコネクタ１の中心軸Ｃ１とはお互いが一致している。
【００３９】
また、コネクタ設置体１７に設置されたオスコネクタ３は、図３、図６等から理解されるように、コネクタ設置体１７の上端から上方に突出しており、メスコネクタ１は、コネクタ設置体１７に設置されたオスコネクタ３の上方から下方に移動してオスコネクタ３に接合され、この接合がされた状態で、中心軸Ｃ１が上下方向に延伸している。また、図１３、図１４、図１９等で示すように、上下方向で、メスコネクタ１の下側の部位がオスコネクタ３とほぼ同じところに位置しており、メスコネクタ１の上側の部位がオスコネクタ３の上端から上方に突出している。また、長いアウタハウジング７Ａでコネクタ１を構成した場合は、短いアウタハウジング７Ｂでコネクタ１を構成した場合に比べて、オスコネクタ３の上端からの上方への突出長さが長くなっている。
【００４０】
オスコネクタ３は、図１０等で示すように、たとえば、絶縁性の合成樹脂で一体成形された筒状のオスコネクタハウジング１３を備えて構成されている。オス端子１５は、オスコネクタハウジング１３の内部の所定の位置で、オスコネクタハウジング１３に一体的に設けられている。オスコネクタハウジング１３の外周には、第１の相手側コネクタ係止部２５を構成する凹部（第１の被係止爪収容部）３７と、第２の相手側コネクタ係止部２９を構成する凹部（第２の被係止爪収容部）４３と、リブ４９と、凸部５０とが設けられている。凹部（第１の被係止爪収容部）３７はたとえば２箇所に設けられており、凹部（第２の被係止爪収容部）４３はたとえば１箇所に設けられており、リブ４９はたとえば３本設けられており、凸部５０は、凹部（第１の被係止爪収容部）３７に合わせてたとえば２箇所に設けられている。
【００４１】
オスコネクタ３の中心軸Ｃ１の延伸方向（上下方向）から見て、中心軸Ｃ１を極座標の原点とし、１つ目の凹部（第１の被係止爪収容部）３７と１つ目の凸部５０との偏角を０°とすると、凹部（第２の被係止爪収容部）４３の偏角は９０°になっており、２つ目の凹部（第１の被係止爪収容部）３７と２つ目の凸部５０との偏角は１８０°になっており、リブ４９の偏角は概ね２２５°、２７０°、３１５°になっている（図１０（ｂ）参照）。
【００４２】
中心軸Ｃ１の延伸方向（上下方向）では、凸部５０は、凹部３７に隣接して凹部３７の上側に設けられている。
【００４３】
リブ４９は、メスコネクタ１をオスコネクタ３に接合するときに、オスコネクタ３に対するメスコネクタ１の偏角を合わせるために使用されるものである。
【００４４】
インナハウジング５も、図９等で示すように、たとえば、絶縁性の合成樹脂で成形されており、円柱状の内側本体部５１と円筒状の外側本体部５３と円板状の連結部５５とインナハウジング被係止部２３とを備えて構成されている。内側本体部５１には、メス端子１１が設けられている。外側本体部５３は、上下方向（中心軸Ｃ１の延伸方向）では、内側本体部５１の中間部で上側に位置しており、内側本体部５１の上端に設けられている連結部５５を介して内側本体部５１と一体化している。また、外側本体部５３は、内側本体部５１の径方向で、内側本体部５１の外側に位置して内側本体部５１を囲んでいる。
【００４５】
インナハウジング被係止部２３のインナハウジング梁部３３は、凹部（第１の被係止爪収容部）３７に対応して、一対で設けられている。一対のインナハウジング被係止部２３のそれぞれは、筒状の外側本体部５３の肉部を延長した態様で設けられている。上下方向（中心軸Ｃ１の延伸方向）では、円筒状の外側本体部５３の下端から下方に延出しいる。ただし、インナハウジング梁部３３の先端（下端）は、内側本体部５１の下端よりも上側に位置している。
【００４６】
インナハウジング５の中心軸Ｃ１の延伸方向（上下方向）から見て、中心軸Ｃ１を極座標の原点とし、１つ目のインナハウジング梁部３３の偏角を０°とすると、２つ目のインナハウジング梁部３３の偏角は１８０°になっている。
【００４７】
インナハウジング被係止爪３５は、片持ち梁状のインナハウジング梁部３３の先端部（下端部）に設けられており、内側（中心軸Ｃ１）側に突出している。ただし、インナハウジング被係止爪３５は、内側本体部５１から離れている。
【００４８】
また、インナハウジング梁部３３には、切り欠き５７が設けられている。切り欠き５７は所定の幅で、インナハウジング梁部３３の幅方向中央部に設けられており、上下方向にわたって長く延びている。
【００４９】
これにより、切り欠き５７が設けられている部位では、インナハウジング梁部３３の肉部と外側本体部５３の肉部とが欠損している。また、切り欠き５７が一対のインナハウジング梁部３３のそれぞれに設けられていることで、１つ目のインナハウジング梁部３３は２本存在しているように見えるし、２つ目のインナハウジング梁部３３も２本存在しているように見える。
【００５０】
なお、切り欠き５７が設けられていても、１つ目のインナハウジング梁部３３、２つ目のインナハウジング梁部３３は分断されておらず、２本存在しているように見える各インナハウジング梁部３３は、この先端部（下端部）で、インナハウジング被係止爪３５により連結されている。ただし、インナハウジング被係止爪３５の外側の部位は、切り欠き５７を延長したような態様で、わずかに内側に凹んでいる。
【００５１】
また、外側本体部５３には、切り欠き５９が設けられており、切り欠き５９が設けられている部位では、外側本体部５３の肉部が欠損している。さらに、インナハウジング５の中心軸Ｃ１の延伸方向（上下方向）から見て、中心軸Ｃ１を極座標の原点とし、１つ目のインナハウジング梁部３３の偏角を０°とすると、切り欠き５９の偏角は９０°になっている。切り欠き５９は、インナハウジング５をアウタハウジング７に設置するときに、アウタハウジング７に対するインナハウジング５の偏角を合わせるために使用されるものである。
【００５２】
長いアウタハウジング７Ａは、図８等で示すように、絶縁性の合成樹脂で一体成形されて円筒状に形成されている。
【００５３】
アウタハウジング７Ａには、第１のアウタハウジング被係止部２７と第２のアウタハウジング被係止部３１と凸部６３と内側リブ６５とが設けられている。
【００５４】
第１のアウタハウジング被係止部２７の第１のアウタハウジング梁部３９は、オスコネクタ３の一対の凹部３７やインナハウジング被係止部２３の一対のインナハウジング梁部３３や一対のインナハウジング被係止爪３５に合わせて、一対の第１のアウタハウジング梁部３９を備えて構成されている。一対の第１のアウタハウジング梁部３９のそれぞれには、第１のアウタハウジング被係止爪４１が設けられている。
【００５５】
１つ目のアウタハウジング梁部３９は、アウタハウジング７Ａの肉部を貫通して上下方向に細長く延びている一対の切り欠き６７の間に設けられており、両持ち梁状に形成されている。２つ目のアウタハウジング梁部３９も、アウタハウジング７Ａの肉部を貫通して上下方向に細長く延びている一対の切り欠き６７の間に設けられており、両持ち梁状に形成されている。中心軸Ｃ１の延伸方向では、各アウタハウジング梁部３９は、アウタハウジング７Ａの中間部に設けられている。
【００５６】
また、第１のアウタハウジング被係止爪４１は、アウタハウジング梁部３９から内側（中心軸Ｃ１）に突出しており、中心軸Ｃ１の延伸方向では、アウタハウジング梁部３９の中間部に設けられている。
【００５７】
第２のアウタハウジング被係止部３１の第２のアウタハウジング梁部４５は、オスコネクタ３の凹部４３に合わせて、１つの第２のアウタハウジング梁部４５と、第２のアウタハウジング梁部４５に設けられた１つの第２のアウタハウジング被係止爪４７とを備えて構成されている。
【００５８】
第２のアウタハウジング梁部４５は、アウタハウジング７Ａの肉部を貫通して上下方向に細長く延びている一対の切り欠き６９の間に設けられており、両持ち梁状に形成されている。中心軸Ｃ１の延伸方向では、第２のアウタハウジング梁部４５は、アウタハウジング７Ａの中間部に設けられている。
【００５９】
第２のアウタハウジング被係止爪４７は、アウタハウジング梁部４５から内側（中心軸Ｃ１）に突出しており、中心軸Ｃ１の延伸方向では、アウタハウジング梁部４５の中間部に設けられている。
【００６０】
また、アウタハウジング７Ａの中心軸Ｃ１の延伸方向（上下方向）から見て、中心軸Ｃ１を極座標の原点とし、１つ目の第１のアウタハウジング梁部３９の偏角を０°とすると、２つ目の第１のアウタハウジング梁部３９の偏角は１８０°になっており、第２のアウタハウジング梁部４５の偏角は９０°になっている。
【００６１】
長いアウタハウジング７Ａの上下方向で、長いアウタハウジング７Ａの下端からこの近傍にかけての内部空間５６は、図８（ａ）、（ｄ）、（ｅ）で示すように、正六角柱状になっており、第１のアウタハウジング被係止部２７のところおよびこの近傍の内部空間５８は、第１のアウタハウジング被係止部２７や第２のアウタハウジング被係止部３１を無視すれば円柱状になっており、他の内部空間（空間５８よりも上側の空間）の箇所６２も、円柱状になっている。ただし、内部空間５８の直径は、内部空間５６の二面幅と等しいか内部空間５６の二面幅よりも僅かに小さくなっている。内部空間６２の直径は、内部空間５８の直径よりも大きくなっている。また、中心軸Ｃ１の延伸方向から見ると、正六角形の１つの角部の偏角と、第２のアウタハウジング梁部４５（第２のアウタハウジング被係止部３１）の偏角とはお互いが一致している（図８（ａ）参照）。
【００６２】
正六角柱状の内部空間５８の複数の角部（たとえば３つの角部）のところには、図８（ａ）で示すように、溝部６０設けられている。これらの溝部６０は、上下方向で内部空間５８の全長にわたって設けられており、これらの溝部６０のそれぞれと、オスコネクタの複数のリブ（図１０（ｂ）で示す３つのリブ）４９のそれぞれとがお互いに係合するようになっている。そして、メスコネクタ１をオスコネクタ３に接合するときに、オスコネクタ３に対するメスコネクタ１の偏角を合わせることができるようになっている。
【００６３】
また、長いアウタハウジング７Ａの内部には、インナハウジング５のストッパを構成する凸部６３が設けられている。凸部６３は、内部空間５６が正六角形状になっていて内部空間５８が円柱状になっていることで形成されている。
【００６４】
内側リブ６５は、長いインナハウジング７Ａの内部空間６２内の上側で中心軸Ｃ１側に突出しており、上下方向に細長く延びている。長いインナハウジング７Ａにインナハウジング５を設置するとき、内側リブ６５が、インナハウジング５の外側本体部５３の切り欠き５９に入り込み、アウタハウジング７Ａに対するインナハウジング５の偏角を合わせることができるようになっている。
【００６５】
短いアウタハウジング７Ｂも長いアウタハウジング７Ａと同様に構成されている。ただし、図７等で示すように、短いアウタハウジング７Ｂは上下方向の寸法が、上端側の部位を短くすることで、アウタハウジング７Ａのものよりも短くなっている。また、第２のアウタハウジング被係止部３１が片持ち梁状になっている。
【００６６】
ここで、インナハウジング５を長いアウタハウジング７Ａに設置する動作（仮設置動作）について説明する。
【００６７】
まず、初期状態では、インナハウジング５がアウタハウジング７Ａから離れてアウタハウジング７Ａの上側に位置しており、インナハウジング５の中心軸Ｃ１とアウタハウジング７Ａの中心軸Ｃ１とがお互いに一致しており、インナハウジング５が、インナハウジング梁部３３が下方（アウタハウジング７Ａ側）に延出している姿勢になっている。
【００６８】
上記初期状態において、インナハウジング５を下方に移動すると、インナハウジング５がアウタハウジング７Ａの内部にアウタハウジング７Ａの上端２１の開口部から入り始める。
【００６９】
インナハウジング５をさらに下方に移動すると、インナハウジング被係止爪３５が第１のアウタハウジング被係止爪４１に当接し、第１のアウタハウジング梁部３９が外側（中心軸Ｃ１から離れる側）に押され、第１のアウタハウジング梁部３９が外側に弾性変形する。
【００７０】
インナハウジング５のインナハウジング梁部３３の先端がアウタハウジング７Ａの凸部６３に当接するまで、インナハウジング５をさらに下方に移動すると、上記当接により、インナハウジング５はアウタハウジング７Ａに対してそれ以上下方には移動できなくなるとともに、インナハウジング被係止爪３５が第１のアウタハウジング被係止爪４１を越えて第１のアウタハウジング被係止爪４１よりも下側に位置し、第１のアウタハウジング梁部３９が復元する。これにより、図１２、図１６で示すように、インナハウジング５の長いアウタハウジング７Ａへの仮設置が終了し、メスコネクタ１が得られる。
【００７１】
なお、図１６等で示すメスコネクタ１では、第１のアウタハウジング被係止部２７の第１のアウタハウジング被係止爪４１が、インナハウジング梁部３３の上方で切り欠き５７内に入り込み、インナハウジング被係止部２３のインナハウジング被係止爪３５の後方でインナハウジング被係止爪３５に当接している。また、アウタハウジング７Ａの凸部６３がインナハウジング５の外側本体部５３に当接している（図１６参照）ことで、インナハウジング５がアウタハウジング７Ａに固定されている。
【００７２】
次に、メスコネクタ１のオスコネクタ３への設置動作（本設置動作）について説明する。
【００７３】
初期状態（接合準備状態）では、図１６で示すように、オスコネクタ３がコネクタ設置体１７に設置されており、メスコネクタ１がオスコネクタ３から離れてオスコネクタ３の上側に位置しており、オスコネクタ３の中心軸Ｃ１とメスコネクタ１の中心軸Ｃ１とがお互いに一致しており、メスコネクタ１のインナハウジング梁部３３が下方（オスコネクタ３側）に延出している姿勢になっている。
【００７４】
上記初期状態において、アウタハウジング７Ａを下方に押してメスコネクタ１を下方に移動すると、オスコネクタ３がメスコネクタ１（アウタハウジング７Ａ）の内部に入り始める。
【００７５】
アウタハウジング７Ａをさらに下方に移動すると、インナハウジング被係止部２３のインナハウジング被係止爪３５と第１のアウタハウジング被係止部２７の第１のアウタハウジング被係止爪４１とが、オスコネクタ３の凸部５０に当接し、インナハウジング梁部３３と第１のアウタハウジング梁部３９とが外側（中心軸Ｃ１から離れる側）に押され、インナハウジング梁部３３と第１のアウタハウジング梁部３９とが外側に弾性変形する（図１７（ｂ）参照）。
【００７６】
また、第２のアウタハウジング被係止部３１の第２のアウタハウジング被係止爪４７が、オスコネクタ３に当接し、第２のアウタハウジング梁部４５が外側（中心軸Ｃ１から離れる側）に押され、第２のアウタハウジング梁部４５が外側に弾性変形する（図１７（ａ）参照）。
【００７７】
アウタハウジング７Ａをさらに下方に移動すると、インナハウジング５の下端がオスコネクタ３の上端に当接し、端子１１，１５同士がお互いに接され、インナハウジング梁部３３が復元し、インナハウジング被係止爪３５がオスコネクタ３の凹部３７に入る（図１８（ｂ）参照）。この状態では、上記当接によって、インナハウジング５がそれ以上下方に移動することができない。なお、第２のアウタハウジング被係止部３１については、第２のアウタハウジング梁部４５が外側（中心軸Ｃ１から離れる側）に押され続け、第２のアウタハウジング梁部４５が外側に弾性変形している（図１８（ａ）参照）。
【００７８】
アウタハウジング７Ａをさらに下方に移動すると、アウタハウジング７Ａがインナハウジング５とオスコネクタ３とに対してさらに下方に移動し、第１のアウタハウジング被係止部２７の第１のアウタハウジング被係止爪４１がインナハウジング被係止部２３のインナハウジング被係止爪３５を外側から乗り越えて、第１のアウタハウジング被係止爪４１が凹部３７内に入り、第１のアウタハウジング梁部３９が復元する（図１９（ｂ）参照）。この状態では、インナハウジング被係止爪３５と第１のアウタハウジング被係止爪４１とが凹部４３内に入っている。また、第２のアウタハウジング被係止部３１の第２のアウタハウジング被係止爪４７が、凹部４３内に入り、第２のアウタハウジング梁部４５が復元する（図１９（ａ）参照）。この状態では、インナハウジング５とアウタハウジング７Ａとがオスコネクタ３に対して移動できない。
【００７９】
以上によって、メスコネクタ１のオスコネクタ３への接合が終了する。
【００８０】
上記動作説明では、長いアウタハウジング７Ａへのインナハウジング５の設置動作を例に掲げて説明したが、短いアウタハウジング７Ｂへのインナハウジング５の設置動作も同様になされる。
【００８１】
また、上述したように、コネクタ設置体１７に設置されているオスコネクタ３の近くに障害物９が存在する場合やコネクタ設置体１７に設置されているオスコネクタ３が奥深いところに位置している場合には、長いアウタハウジング７Ａが使用され、コネクタ設置体１７に設置されているオスコネクタ３の近くに障害物が非存在である場合等には、短いアウタハウジング７Ｂが使用される。
【００８２】
メスコネクタ１によれば、お互いの長さが異なる複数のアウタハウジング７（７Ａ，７Ｂ）の中から、設置される箇所の状況に応じて（たとえば障害物９の有無に応じて）選択された１つのアウタハウジングに設置されるインナハウジング５を有するので、搭載（設置）される部位の形態（たとえば障害物９の有無）に応じて形状の異なったコネクタを使い分ける場合においてコネクタを低コストで提供することができる。
【００８３】
すなわち、インナハウジング５とオスコネクタ３とを共通にして、形状（たとえば、長さ）の異なるアウタハウジング７（７Ａ，７Ｂ）を使い分けることで、コネクタ（オスコネクタ３、メスコネクタ１）が搭載される部位が変化しても、アウタハウジング７のみの形状（たとえば長さ）を変えるだけでよく、少ない部品点数で低コスト化をはかるこことができる。
【００８４】
また、メスコネクタ１によれば、インナハウジング被係止部２３と第１のアウタハウジング被係止部２７とが第１の相手側コネクタ係止部２５に係合していることで、メスコネクタ１がオスコネクタ３に接合された状態が維持されるように構成されているので、第１の相手側コネクタ係止部２５が、インナハウジング被係止部２３と第１のアウタハウジング被係止部２７との係止に共用されている。これにより、各コネクタ１，３の構成が簡素化される。
【００８５】
また、メスコネクタ１によれば、第２のアウタハウジング被係止部３１が、第２の相手側コネクタ係止部２９に係合していることで、メスコネクタ１がオスコネクタ３に接合された状態が維持されるように構成されているので、メスコネクタ１のオスコネクタ３への接合状態をより強固に維持することができる。
【００８６】
また、メスコネクタ１によれば、接合準備状態からアウタハウジング７をオスコネクタ３側に移動することで、インナハウジング５がアウタハウジング７で押されてアウタハウジング７とともに移動し、インナハウジング被係止部２３の被係止爪３５が第１の相手側コネクタ係止部２５の凹部３７に入り込み、続いて、アウタハウジング７を相手側コネクタ３側にさらに移動することで、アウタハウジング７がオスコネクタ３とインナハウジング５とに対して相対的にさらに移動して、第１のアウタハウジング被係止部２７の被係止爪４１が、インナハウジング５の被係止爪３５のところを乗り越えて第１の相手側コネクタ係止部２５の凹部３７に入り込み、メスコネクタ１のオスコネクタ３への接合がなされるように構成されている。これにより、端子１１，１５同士が接続された後も、オスコネクタ３とインナハウジング５とがアウタハウジング７に対して移動するので、メスコネクタ１とオスコネクタ３との嵌合状態（接合状態）が保障される。
【００８７】
また、インナハウジング被係止部２３の被係止爪３５が第１の相手側コネクタ係止部２５の凹部３７に入り込みメス端子１１がオス端子１５に接続されるタイミングに対して、第１のアウタハウジング被係止部２７の被係止爪４１が、インナハウジング５の被係止爪３５のところを通過して第１の相手側コネクタ係止部２５の凹部３７に入り込むタイミングがずれ、このタイミングのずれによってアウタハウジング７が、オスコネクタ３やインナハウジングに対してさらに移動するので、メスコネクタ１をオスコネクタ３へ接合するのに要する力がたとえば２段階で変化し、メスコネタ１をオスコネクタ３への接合状態を感知しやすくなり、接合状態が保障される。
【００８８】
なお、上記説明では、アウタハウジング７として長いアウタハウジング７Ａと短いアウタハウジング７Ｂとを用いる場合を例に掲げて説明したが、お互いの長さが異なる３本以上の複数本のアウタハウジング７の中から１本のアウタハウジング７を選択するようにしてもよいし、長さだけでなくお互いの形状が異なる複数本のアウタハウジング７の中から１本のアウタハウジング７を選択するようにしてもよい。
【００８９】
さらに、メスコネクタ１では、インナハウジング５がアウタハウジング７内に入り込んでアウタハウジング７に係合しているが、第１のハウジング（アウタハウジング７に相当）に第２のハウジング（インナハウジング５に相当）が別の形態で係合して仮設置されるように構成されていてもよい。
【００９０】
また、オスコネクタ３を用いることなく、コネクタ（メスコネクタ１に相当）をコネクタ設置体１７に直接設置する構成になっていてもよい。この場合、たとえば、インナハウジングに相当する第２のハウジングがコネクタ設置体１７に直接係合するものとする。
【符号の説明】
【００９１】
１  コネクタ
３  相手側コネクタ
５  インナハウジング
７（７Ａ，７Ｂ）  アウタハウジング
２３  インナハウジング被係止部
２５  第１の相手側コネクタ係止部
２７  第１のアウタハウジング被係止部
２９  第２の相手側コネクタ係止部
３１  第２のアウタハウジング被係止部
３３  梁部（インナハウジング梁部）
３５  被係止爪（インナハウジング被係止爪）
３７  凹部（第１の被係止爪収容部）
３９  梁部（第１のアウタハウジング梁部）
４１  被係止爪（第１のアウタハウジング被係止爪）
【図１】
2016012438.tif 000003
【図２】
2016012438.tif 000004
【図３】
2016012438.tif 000005
【図４】
2016012438.tif 000006
【図５】
2016012438.tif 000007
【図６】
2016012438.tif 000008
【図７】
2016012438.tif 000009
【図８】
2016012438.tif 000010
【図９】
2016012438.tif 000011
【図１０】
2016012438.tif 000012
【図１１】
2016012438.tif 000013
【図１２】
2016012438.tif 000014
【図１３】
2016012438.tif 000015
【図１４】
2016012438.tif 000016
【図１５】
2016012438.tif 000017
【図１６】
2016012438.tif 000018
【図１７】
2016012438.tif 000019
【図１８】
2016012438.tif 000020
【図１９】
2016012438.tif 000021
【図２０】
2016012438.tif 000022
【図２１】
2016012438.tif 000023
【図２２】
2016012438.tif 000024
【図２３】
2016012438.tif 000025